(57)【要約】【課題】ガラス部材の着脱を簡単にすることができると共に、ガラス部材を高精度に位置決めすることのできる画像読取装置を提供する。【解決手段】画像読取部３２９に設けられた画像読取手段により、シート搬送路を通過するシートの画像をシート搬送路に配されたガラス部材越しに読み取る。そして、ガラス部材３４０をガラス保持手段３５０により着脱自在に保持すると共に、画像読取部３２９に接離可能に圧接するガラス保持手段３５０を、ガラス部材３４０を着脱する際、移動手段３７０により、画像読取部から離間させ、ガラス部材３４０の着脱が可能な位置に移動させる。【選択図】図２
2008199213.tif 000002
【特許請求の範囲】
【請求項１】
シート搬送路を通過するシートの画像を読み取る画像読取装置において、
前記シート搬送路に配されたガラス部材と、
前記シート搬送路を通過するシートの画像を前記ガラス部材越しに読み取る画像読取手段を備えた画像読取部と、
前記ガラス部材を着脱自在に保持すると共に、前記画像読取部に接離可能に圧接するガラス保持手段と、
前記ガラス部材を着脱する際、前記ガラス保持手段を前記画像読取部から離間させ、前記ガラス部材の着脱が可能な位置に移動させる移動手段と、
を備えたことを特徴とする画像読取装置。
【請求項２】
前記移動手段は、前記ガラス保持手段を前記画像読取部に圧接する方向に付勢する付勢部材を備えると共に、前記ガラス保持手段を前記付勢部材により前記画像読取部に圧接させる位置と、前記付勢部材による付勢を解除して前記ガラス保持手段を前記画像読取部から離間させる位置とに移動可能であることを特徴とする請求項１記載の画像読取装置。
【請求項３】
前記移動手段は、シートの搬送を案内するガイド部材を備え、前記ガラス保持手段を前記画像読取部に圧接させる位置にあるとき、前記ガイド部材が前記シート搬送路の一部を構成するように構成されたガイド手段であることを特徴とする請求項２記載の画像読取装置。
【請求項４】
前記ガラス部材は、搬送されるシートに面する搬送側面に設けられた白基準部材を有し、
前記ガラス保持手段は、前記画像読取手段により前記白基準部材が読み取られるシェーディング位置と、シートの画像が読み取られるシート読取位置との間を往復移動することを特徴とする請求項１ないし３のいずれか１項に記載の画像読取装置。
【請求項５】
前記画像読取部は、前記ガラス保持手段を前記移動手段の方向に付勢する付勢部材を有し、
前記移動手段の付勢部材の付勢力は、前記画像読取部の付勢部材の付勢力よりも大きいことを特徴とする請求項２ないし４のいずれか１項に記載の画像読取装置。
【請求項６】
前記画像読取部は、前記ガラス部材に当接する突き当て部材を備え、前記突き当て部材には前記ガラス部材を着脱する際に、前記ガラス部材の着脱を案内する案内部が設けられていることを特徴とする請求項１ないし５のいずれか１項に記載の画像読取装置。
【請求項７】
前記ガラス部材の装着方向上流側端部には把手部が設けられていることを特徴とする請求項１ないし６のいずれか１項に記載の画像読取装置。
【請求項８】
シート搬送路を通過するシートの画像を読み取る画像読取装置において、
前記シート搬送路に配されたガラス部材と、
前記シート搬送路を通過するシートの画像を前記ガラス部材越しに読み取る画像読取手段と、
前記ガラス部材を前記画像読取手段の方向に付勢する付勢部材と、を有し、
前記ガラス部材への前記付勢部材の付勢が解除されることで、前記画像読取手段が設けられている装置本体から前記ガラス部材が着脱可能となることを特徴とする画像読取装置。
【発明の詳細な説明】
【技術分野】
【０００１】
本発明は、シートの画像を読み取る画像読取装置に関し、特にシートの画像を読み取る際、シートが通過するガラス部材を着脱する構成に関する。
【背景技術】
【０００２】
従来、複写機、スキャナ、ファクシミリ等にはシートである原稿の画像を読み取る画像読取装置を備えたものがある。そして、このような画像読取装置として、自動原稿搬送装置（ＡＤＦ）により原稿を原稿台ガラス上に搬送しながら原稿台ガラスの下方に位置する画像読取手段により原稿の画像を読み取る、いわゆる流し読みを行うものが知られている（特許文献１参照）。
【０００３】
さらに、従来の画像読取装置においては、原稿の表裏両面に形成された画像を自動原稿搬送装置による流し読みにて読み取るようにしたものがある。ここで、このような画像読取装置において、表裏両面に画像が形成された原稿を流し読みにて読み取る場合は、まず画像読取部により原稿の片面（第１面）を読み取る。次に、片面が読み取られた原稿を自動原稿搬送装置に設けられた表裏反転パスにて反転させた後、再度、画像読取部を通過させ、このとき原稿の反対側の面（第２面）を読み取るようにしている。
【０００４】
しかし、この場合、読取に時間がかかることから、生産性向上のため従来の画像読取装置においては、画像読取装置本体に原稿の片面を読み取る画像読取部を設けると共に自動原稿搬送装置に原稿の反対側の面を読み取る画像読取部を設けるようにしたものがある。そして、このように画像読取部を２つ設けることにより、原稿の表裏両面の画像を一度の搬送で読み取ることができる（特許文献２参照）。
【０００５】
図１４は、このように画像読取部を２つ設けた従来の画像読取装置の構成を示す図である。この画像読取装置４００は、原稿の片面を読み取る第１画像読取部４０１を備えた画像読取装置本体４０２と、第２画像読取部３０１を備えた自動原稿搬送装置（ＡＤＦ）３００とから構成される。
【０００６】
この第２画像読取部３０１には、図１５に示すようにコンタクトイメージセンサ３３０と、原稿搬送面側に白基準部材３０２が取り付けられたガラス部材３０３が設けられている。ここで、ガラス部材３０３は、コンタクトイメージセンサ３３０による原稿画像の読取が可能な原稿読み取り位置と、シェーディング補正を行うようコンタクトイメージセンサ３３０に白基準部材３０２が臨むシェーディング位置との間で移動可能となっている。
【０００７】
そして、シェーディング補正を行う場合には、ガラス部材３０３を、図１５に示す原稿読み取り位置からシェーディング位置に移動させることにより、第２画像読取部３０１における長手方向の読み取りレベルの均一化補正を行うようにしている。
【０００８】
【特許文献１】特開２００１−２８５５９５号公報
【特許文献２】特開２００１−１２７９５２号公報
【発明の開示】
【発明が解決しようとする課題】
【０００９】
ところで、このような画像読取部を備えた従来の画像読取装置では、例えば第２画像読取部３０１において、ガラス部材３０３にごみ等が付着すると、読み取り画像にスジが発生する場合がある。この場合、ガラス部材３０３を自動原稿搬送装置３００から取り外して汚れを清掃する必要がある。
【００１０】
ここで、読み取り画像の解像度を保証するためには、コンタクトイメージセンサ３３０に対し、ガラス部材３０３を高精度に位置決めする必要がある。このため、ガラス部材３０３はコンタクトイメージセンサ３３０に近接配置されると共に突き当て部材等により位置関係が保証されている。
【００１１】
しかし、このように構成した場合、突き当て部材等が近接して配置されるため、ガラス部材３０３を清掃する際、ガラス部材３０３の取り付け取り外し、即ち着脱に手間がかかるという問題があった。
【００１２】
そこで、本発明は、このような現状に鑑みてなされたものであり、ガラス部材の着脱を簡単にすることができると共に、ガラス部材を高精度に位置決めすることのできる画像読取装置を提供することを目的とするものである。
【課題を解決するための手段】
【００１３】
本発明は、シート搬送路を通過するシートの画像を読み取る画像読取装置において、前記シート搬送路に配されたガラス部材と、前記シート搬送路を通過するシートの画像を前記ガラス部材越しに読み取る画像読取手段を備えた画像読取部と、前記ガラス部材を着脱自在に保持すると共に、前記画像読取部に接離可能に圧接するガラス保持手段と、前記ガラス部材を着脱する際、前記ガラス保持手段を前記画像読取部から離間させ、前記ガラス部材の着脱が可能な位置に移動させる移動手段と、を備えたことを特徴とするものである。
【００１４】
また、本発明は、シート搬送路を通過するシートの画像を読み取る画像読取装置において、前記シート搬送路に配されたガラス部材と、前記シート搬送路を通過するシートの画像を前記ガラス部材越しに読み取る画像読取手段と、前記ガラス部材を前記画像読取手段の方向に付勢する付勢部材と、を有し、前記ガラス部材への前記付勢部材の付勢が解除されることで、前記画像読取手段が設けられている装置本体から前記ガラス部材が着脱可能となることを特徴とするものである。
【発明の効果】
【００１５】
本発明のように、ガラス保持手段を画像読取部に圧接させると共に、ガラス部材を着脱する際、ガラス保持手段を画像読取部から離間させることにより、ガラス部材の着脱を簡単にすることができると共に、ガラス部材を高精度に位置決めすることができる。また、付勢部材の付勢が解除されることで、ガラス部材が着脱可能となるように構成したので、ガラス部材の位置精度を確保しながらガラス部材の着脱が容易になる。
【発明を実施するための最良の形態】
【００１６】
以下、本発明を実施するための最良の形態について、図面を参照して詳しく説明する。
【００１７】
図１は、本発明の実施の形態に係る画像読取装置の構成を示す図である。
【００１８】
図１において、２００は画像読取装置であり、この画像読取装置２００は、流し読みを行う際、シートである原稿の表面（第１面）の画像を読み取る第１画像読取部１０２を備えたスキャナ装置２００Ａを備えている。また、この画像読取装置２００は、原稿の裏面（第２面）の画像を読み取る第２画像読取部３０２を備えた自動原稿給送装置（ＡＤＦ）１００を備えている。
【００１９】
第１画像読取部１０２は、流し読みを行う際、自動原稿給送装置１００により搬送される原稿が通過する透明な表面ガラス部材１２１と、読み取り位置に対向して配置された白色の読み取りローラ１２０が設けられている。
【００２０】
また、第１画像読取部１０２は、ランプ２０１ａ、ミラー２０１ｂを有し、表面ガラス部材上を通過する原稿に光を照射して原稿画像を読み取る第１ミラーユニット２０１と、２つのミラー２０９ａ，２０９ｂを有する第２ミラーユニット２０９を有している。
【００２１】
なお、２１０はレンズ、１６はＣＣＤ（センサ）であり、第１画像読取部１０２は、流し読みの際、表面ガラス部材上を通過する原稿の表面に対しランプ２０１ａから光を照射するようにしている。そして、原稿からの反射光は、ミラー２０１ｂ，２０９ａ，２０９ｂを介してレンズ２１０に導かれ、レンズ２１０によってＣＣＤ１６の受光部に結像されるようになっている。
【００２２】
また、２０２はスキャナ装置２００Ａの上面に設けられた原稿台ガラスである。そして、第１及び第２ミラーユニット２０１，２０９を移動させながら原稿画像を読み取る固定読みの場合、原稿は自動原稿給送装置１００により、或は手動により原稿台ガラス上にセットされる。自動原稿給送装置１００は、スキャナ装置２００Aに対して、図１の奥側を回動支点として回動可能に設けられている。自動原稿給送装置１００をスキャナ装置２００Aに対して開くことで、原稿台ガラス２０２に原稿をセットできるように原稿台ガラス２０２を露出させることができる。
【００２３】
そして、このような固定読みの場合、第１及び第２ミラーユニット２０１，２０９は、不図示の駆動モータの回転駆動により、ランプ２０１ａにより原稿の下面を照射しながら原稿台ガラス２０２と平行に移動するようになっている。
【００２４】
なお、２４１は、固定読みのため原稿を原稿台ガラス２０２にセットする際、原稿の位置を規定するための突き当て部であり、２４２は原稿台ガラス上に設けられ、第１画像読取部１０２の白基準となる白基準部材である。
【００２５】
自動原稿給送装置１００により搬送される原稿の裏面画像を読み取る第２画像読取部３０２は、不図示のランプ、レンズ、ＣＣＤが一体に構成される画像読取手段であるコンタクトイメージセンサ３３０を有している。また、第２画像読取部３０２は、裏面ガラス３２１と、コンタクトイメージセンサ３３０による読み取り位置に、コンタクトイメージセンサ３３０に対向して設けられた白色の裏面読み取りローラ３２０とを有している。そして、裏面ガラス３２１の、搬送される原稿に面する原稿搬送面側にはコンタクトイメージセンサ３３０の白基準となる白基準部材３４１が設けられている。
【００２６】
自動原稿給送装置１００は、原稿トレイ１１１に積載された不図示の原稿を、例えば流し読みの際、第１画像読取部１０２及び第２画像読取部３０２に搬送するものであり、原稿トレイ１１１の上方に設けられ、原稿を送り出す給紙ローラ１１２を備えている。
【００２７】
ここで、給紙ローラ１１２は、上下方向に回動自在な不図示のアームに軸支されており、通常、アームの上方回動によりホームポジションである上方位置に退避しており、原稿のセット作業を阻害しないようになっている。また、給紙動作が開始されると、アームの下方回動により給紙ローラ１１２は下降して原稿の上面に当接するようになっている。
【００２８】
給紙ローラ１１２の下流には、原稿を１枚ずつ分離する分離搬送ローラ１１３と分離パッド１１４とからなる分離部が設けられている。さらに、分離部の下流には分離部により１枚ずつ分離された原稿を搬送する搬送ローラ対１１７、搬送ローラ対１１７により搬送された原稿の先端を揃えるための上部リードローラ対１０３が設けられている。
【００２９】
そして、搬送ローラ対１１７により搬送された原稿の先端を静止した状態の上部リードローラ対１０３のニップ部に突き当て、原稿にループを生じさせることにより、原稿の先端を揃えるようにしている。
【００３０】
なお、Ｒは裏面ガラス３２１が配されると共に原稿が搬送される原稿搬送路（シート搬送路）、Ｒ１は第２画像読取部３０２の下流に設けられた原稿反転パスである。そして、第２画像読取部３０２を通過した原稿は、選択的にスイッチバックして原稿反転パスＲ１に送り込まれ、上部リードローラ対１０３へ向けて再度、搬送される。
【００３１】
次に、このように構成された画像読取装置２００の流し読みモードにおける原稿画像読み取り動作について説明する。
【００３２】
流し読みモードにより原稿画像読み取る場合には、まずアームを下降させて給紙ローラ１１２を原稿の上面に当接させた後、分離搬送ローラ１１３と同一駆動源により給紙ローラ１１２を回転し、最上位の原稿を分離部に搬送する。ここで、原稿が複数枚重なって搬送された場合には、分離部において最上位の原稿を他の原稿から分離して搬送する。
【００３３】
１枚に分離された原稿は、上部リードローラ対１０３によって原稿の先端を揃えられた後、上部リードローラ対１０３により第１画像読取部１０２に案内され、表面ガラス部材１２１上を通過する。このとき、原稿の表面（第１面）の画像情報を第１画像読取部１０２（のＣＣＤ１６）にて読み取る。
【００３４】
次に、原稿の表面画像の読み取りが終了すると、原稿は、第２画像読取部３０２に搬送される。そして、裏面ガラス３２１上を通過する際、原稿の裏面（第２面）の画像情報をコンタクトイメージセンサ３３０にて読み取る。なお、このようにコンタクトイメージセンサ３３０による原稿の裏面画像読み取りが終了すると、この後、原稿は、下流リードローラ対１１８及び排紙ローラ対１１５により排紙トレイ１１６上に排紙される。
【００３５】
図２は、自動原稿給送装置１００に設けられた第２画像読取部３０２の構成を示す斜視図である。図２において、３４０は裏面ガラス３２１等を備えたガラス部材である裏面ガラスユニットである。この裏面ガラスユニット３４０は、ガラス保持手段であるガラスハウジングユニット３５０に着脱自在に保持されると共に、ガラスハウジングユニット３５０を介して自動原稿給送装置１００の装置本体１０１Ａに上下方向に回動可能に取り付けられている。
【００３６】
また、図２において、３２９はコンタクトイメージセンサ３３０を備え、第２画像読取部３０２を構成するコンタクトイメージセンサユニット、３７０は原稿の搬送を案内するガイドユニットである。
【００３７】
ここで、裏面ガラスユニット３４０（の裏面ガラス３２１）は、図３に示すように、その装着方向上流側端部には、裏面ガラスユニット３４０をガラスハウジングユニット３５０から取り外すための把手部材３４４が設けられている。また、裏面ガラスユニット３４０の装着方向下流側端部には銅箔テープ部材３４５が設けられている。
【００３８】
なお、コンタクトイメージセンサ３３０は、原稿搬送路Ｒ（図1参照）を搬送された原稿が、裏面ガラスユニット３４０の底面である原稿搬送側面を通過する際、原稿画像を、この裏面ガラス部材越しに読み取るようになっている。
【００３９】
裏面ガラス３２１の底面である原稿搬送側面には、不図示の導電性のコーティングが施されており、これにより銅箔テープ部材３４５と裏面ガラス３２１とは導通状態となる。また、裏面ガラスユニット３４０の原稿搬送側面には、図４に示すように、裏面ガラス３２１の原稿搬送側面に順に貼り付けられた白基準部材３４１と、その周辺に配置される白基準周辺部材３４２と、搬送シート部材３４３とにより構成される。
【００４０】
ここで、白基準部材３４１は白色の紙であり、コンタクトイメージセンサ３３０が、裏面ガラス部材越に白基準部材３４１を画像として読み取ることにより、コンタクトイメージセンサ３３０の白レベル調整を行うことができる。なお、白基準周辺部材３４２は白基準部材３４１と同じ厚みの部材であり、白基準部材３４１と白基準周辺部材３４２を覆うように搬送シート部材３４３が貼付けられる。
【００４１】
そして、画像が読み取られる際、原稿は搬送シート部材３４３の表面に接触しながら搬送され、この際、原稿画像は白基準部材３４１等が貼り付けられていない領域においてコンタクトイメージセンサ３３０により読み取られる。
【００４２】
このような裏面ガラスユニット３４０が取り付けられるガラスハウジングユニット３５０は、図５の（ａ）及び（ｂ）に示すように裏面ガラスユニット３４０が上面に着脱可能に取り付けられるガラスハウジング部３５１を有している。また、このガラスハウジングユニット３５０は、ガラス導通部材３５２、スライド軸受け部材３５３、軸受け押さえ部材３５４を有している。
【００４３】
さらに、このガラスハウジングユニット３５０は、ガラス装着口３５５を有しており、このガラス装着口３５５から、図６に示すように裏面ガラスユニット３４０がガラスハウジング部上面に沿って矢印方向に装着されるようになっている。なお、裏面ガラスユニット３４０を取り出す際は、裏面ガラスユニット３４０を矢印と反対方向から抜き出すようにしている。
【００４４】
つまり、コンタクトイメージセンサ３３０が設けられている装置本体に対して、裏面ガラス３２１の原稿搬送側面と平行であって且つ原稿の搬送方向と交差する方向に裏面ガラスユニット３４０は着脱可能である。スキャナ装置２００Aに回動自在な自動原稿搬送装置１００の回動端側（回動支点と反対側）にガラス装着口３５５があるので、ユーザによって裏面ガラスユニット３４０の着脱操作性がよい。
【００４５】
ここで、このように裏面ガラスユニット３４０が装着されると、ガラス導通部材３５２は裏面ガラスユニット３４０の銅箔テープ部材３４５と当接する。これにより、裏面ガラス３２１の導電性コーティング層は銅箔テープ部材３４５、ガラス導通部材３５２を介して自動原稿給送装置本体１０１Ａ（図２参照）の不図示のフレームとの導電性が確保される。
【００４６】
スライド軸受け部材３５３は軸受け押さえ部材３５４によりガラスハウジング部３５１に取り付けられる摺動部材であり、このスライド軸受け部材３５３は、図７に示す案内軸３６４に挿通されるようになっている。なお、スライド軸受け部材３５３は、ビス３５４ａによってガラスハウジング部３５１に固定される軸受け押さえ部材３５４により、上方から押え付けられるようになっている。
【００４７】
なお、このガラスハウジングユニット３５０は、後述する駆動部３６０により駆動され、この際、スライド軸受け部材３５３を案内軸３６４に沿って摺動させながら図７の（ａ）及び図７の（ｂ）に示す位置を往復移動する。なお、図７の（ａ）に示す位置はコンタクトイメージセンサ３３０が原稿画像を読み取る原稿読取位置（シート読取位置）であり、図７の（ｂ）に示す位置はコンタクトイメージセンサ３３０が白基準部材３４１を読み取るシェーディング位置である。
【００４８】
図８は、ガラスハウジングユニット３５０を駆動する駆動部３６０の構成を示す図である。図８において、３６３はタイミングベルトであり、このタイミングベルト３６３はガラスハウジング部３５１と、軸受け押さえ部材３５４との間に挟持されることによりガラスハウジングユニット３５０と固定されている。
【００４９】
また、このタイミングベルト３６３は、駆動モータ３６１の駆動力によりプーリ３６２を介して駆動される。そして、駆動モータ３６１の駆動力によりタイミングベルト３６３を駆動することにより、ガラスハウジングユニット３５０は案内軸３５４により案内されながら図８の（ａ）に示す原稿読取位置と、図８の（ｂ）に示すシェーディング位置との間で往復移動する。
【００５０】
なお、図８において、１００Ｂはガラスハウジングユニット３５０と一体的に設けられ、ガラスハウジングユニット３５０を往復移動可能に支持する保持する支持部材である。そして、この支持部材１００Ｂは、自動原稿給送装置本体１０１Ａに上下方向に回動可能に取り付けられると共に、駆動部３６０が取り付けられている。
【００５１】
また、３６５は自動原稿給送装置本体１０１Ａに設けられ、図５に示すガラスハウジング部３５１の案内溝部３５１ａと係合するガイド付勢力突き当て部材である。そして、ガラスハウジングユニット３５０は、このガラスハウジング部３５１の案内溝部３５１ａと、ガイド付勢力突き当て部材３６５とを係合することにより、往復移動が案内される。
【００５２】
図９はガイドユニット３７０の構成を示す斜視図である。ガイドユニット３７０は、裏面ガラスユニット３４０の原稿搬送側面に裏面ガラスユニット３４０に対向して設けられ、原稿の搬送を案内するガイド部材３７１、裏面読取ローラ３２０、２つのガイド突き当て部材３７２、ガイド付勢部材３７３を有している。なお、このガイドユニット３７０は、下流リードローラ対１１８のローラ軸１１８ａに回動可能に支持されている。
【００５３】
ここで、ガイドユニット３７０は下流リードローラ対１１８の軸線上の両端部に設けた２つのガイド付勢部材３７３により、図１０に示すように上方に位置する裏面ガラスユニット３４０に圧接するように付勢されている。また、ガイドユニット３７０は裏面ガラスユニット３４０の着脱時には図１０の（ａ）に示す原稿搬送位置から回動し、図１０の（ｂ）に示すメンテナンス位置へ移動可能となっている。
【００５４】
そして、このようにガイドユニット３７０が退避すると、これに伴いガラスハウジングユニット３５０（支持部材１００Ｂ）が下方回動する。これにより、それまでコンタクトイメージセンサユニット（以下、センサユニットという）３２９に接離可能に圧接していたガラスハウジングユニット３５０がセンサユニット３２９から退避する。なお、このメンテナンス位置は、ガラスハウジングユニット３５０（裏面ガラスユニット３４０）が移動した際、裏面ガラスユニット３４０がセンサユニット３２９のハウジングに当たらない必要最低量を確保できる位置である。
【００５５】
ガイド突き当て部材３７２は、図９に示すように裏面読取ローラ３２０の軸線上両端部に回転可能に設けられ、裏面読取ローラ３２０よりも大径のコロ部材により構成されている。そして、このガイド突き当て部材３７２は、ガイドユニット３７０が図１０の（ａ）に示す原稿搬送位置にあるとき、裏面ガラスユニット３４０に圧接するようになっている。
【００５６】
これにより、ガイドユニット３７０と裏面ガラスユニット３４０との相対位置の保証を行うことができ、裏面読取ローラ３２０及びガイド部材３７１と、裏面ガラスユニット３４０との間に原稿を通過させることのできる空間を形成することができる。なお、ガイド部材３７１は、後述するようにガラスハウジングユニット３５０がセンサユニット３２９に圧接する位置にあるとき、シート搬送路Ｒの一部を構成するようになっている。
【００５７】
また、ガラスハウジングユニット３５０は、ガイド付勢部材３７３により裏面ガラスユニット３４０を介してコンタクトイメージセンサ３３０に近づく方向に付勢力を受けている。そして、このような付勢力により、ガラスハウジング部３５１の案内溝部３５１ａ（図８参照）と、ガイド付勢力突き当て部材３６５（図７参照）とが当接し、ガラスハウジングユニット３５０及び裏面ガラスユニット３４０の位置が保証される。
【００５８】
なお、本実施の形態において、図１０の（ｂ）に示すメンテナンス位置において、ガイドユニット３７０が下方回動した場合、ガイド付勢部材３７３の付勢力がガラスハウジングユニット３５０に作用しないようになっている。このため、メンテナンス位置においては、ガイド付勢力突き当て部材３６５からガラスハウジング部３５１の案内溝部３５１ａが離れ、ガラスハウジングユニット３５０及び裏面ガラスユニット３４０はセンサユニット３２９から退避する方向に移動する。
【００５９】
図１１は、コンタクトイメージセンサ３３０を備えたセンサユニット３２９の斜視図である。このセンサユニット３２９は、図１２に示すように、コンタクトイメージセンサ３３０、読取部突き当て部材３３１Ａ，３３１Ｂ、読取部付勢部材３３２、センサフレーム３３３より構成される。
【００６０】
読取部突き当て部材３３１Ａ，３３１Ｂは、読取部付勢部材３３２による付勢力により裏面ガラスユニット３４０の原稿搬送面と反対側の面、即ち上面と当接するようになっている。そして、このように読取部突き当て部材３３１Ａ，３３１Ｂが裏面ガラスユニット３４０と当接することにより、コンタクトイメージセンサ３３０と裏面ガラスユニット３４０との相対位置の保証を行うことができる。
【００６１】
つまり、本実施の形態において、裏面ガラスユニット３４０は、この読取部付勢部材３３２と、既述したガイド付勢部材３７３とにより上下両方向から付勢力を受けるようになっている。そして、このように裏面ガラスユニット３４０を上下両方向から付勢力を受けるようにすることにより、裏面ガラスユニット３４０の位置決めを高精度に行うことができる。
【００６２】
なお、この裏面ガラスユニット３４０を付勢する際、ガイド付勢部材３７３の付勢力の方を、読取部付勢部材３３２の付勢力よりも大きくしている。このため、裏面ガラスユニット３４０及びガラスハウジングユニット３５０は、原稿読取時には図１０の（ａ）に示すようにガラスハウジング部３５１の案内溝部３５１ａとガイド付勢力突き当て部材３６５とが付勢力方向に当接した状態で位置が保証される。
【００６３】
なお、図１３に示すように読取部突き当て部材３３１Ａ，３３１Ｂには、裏面ガラスユニット３４０をガラスハウジングユニット３５０に装着する際、裏面ガラスユニット３４０の装着方向先端部を案内する案内部３３１ａ，３３１ｂが設けられている。
【００６４】
次に、このように構成された第２画像読取部３０２におけるガラスユニット３４０の清掃時における着脱動作について説明する。
【００６５】
ガラスユニット３４０を清掃する場合、まずガイドユニット３７０を不図示のロック機構を解除して図１０の（ａ）に示す原稿搬送位置から回動し、図１０の（ｂ）に示すメンテナンス位置へ移動させる。そして、このようにガイドユニット３７０を移動させると、これに伴いガラスハウジングユニット３５０がセンサユニット３２９（のコンタクトイメージセンサ３３０）から退避する。この状態で把手部材３４４を引っ張ることにより、裏面ガラスユニット３４０をガラスハウジングユニット３５０から取り外すことができる。
【００６６】
次に、このようにして取り出した裏面ガラスユニット３４０を清掃し、この後、裏面ガラスユニット３４０をガラスハウジングユニット３５０に装着する。なお、このとき裏面ガラスユニット３４０の装着は、図１３に示す読取部突き当て部材３３１Ａ，３３１Ｂに設けられた案内部３３１ａ，３３１ｂにより案内される。
【００６７】
次に、ガイドユニット３７０を回動し、図１０の（ｂ）に示すメンテナンス位置から図１０の（ａ）に示す原稿搬送位置に移動させる。これにより、ガイドユニット３７０と裏面ガラスユニット３４０とが圧接し、裏面読取ローラ３２０と裏面ガラスユニット３４０との間に原稿を通過させることのできる空間が形成される。
【００６８】
また、ガラスハウジング部３５１の案内溝部３５１ａとガイド付勢力突き当て部材３６５とが当接し、自動原稿給送装置本体１０１Ａにおけるガラスハウジングユニット３５０（の裏面ガラスユニット３４０）の位置が保証される。さらに、ガイドユニット３７０のガイド突き当て部材３７２により、裏面読取ローラ３２０と裏面ガラスユニット３４０との相対位置の保証が行われる。また、センサユニット３２９の読取部突き当て部材３３１Ａ，３３１Ｂにより、センサユニット３２９とガラスハウジングユニット３５０（の裏面ガラスユニット３４０）との相対位置の保証が行われる。
【００６９】
このように、本実施の形態においては、ガラスユニット３４０を着脱する際、ガラスハウジングユニット３５０をセンサユニット３２９から退避させることにより、ガラスユニット３４０の交換性を良好にすることができる。また、ガラスユニット３４０に対してセンサユニット３２９及びガイドユニット３７０の位置関係を保証することができる。
【００７０】
即ち、ガラスハウジングユニット３５０をセンサユニット３２９に圧接させると共に、ガラスユニット３４０を着脱する際、ガラスハウジングユニット３５０をセンサユニット３２９から離間させるようにしている。これにより、ガラスユニット３４０の着脱を簡単にすることができると共に、ガラスユニット３４０を高精度に位置決めすることができる。
【図面の簡単な説明】
【００７１】
【図１】本発明の実施の形態に係る画像読取装置の構成を示す図。
【図２】上記画像読取装置に設けられた第２画像読取部の構成を示す斜視図。
【図３】上記自動原稿給送装置に設けられた裏面ガラスユニットの斜視図。
【図４】上記裏面ガラスユニットの分解斜視図。
【図５】上記裏面ガラスユニットが取り付けられるガラスハウジングユニットの構成を説明する図。
【図６】上記裏面ガラスユニットが取り付けられたガラスハウジングユニットの状態を示す斜視図。
【図７】上記ガラスハウジングユニットの、（ａ）は原稿読取位置に移動した状態を示す斜視図、（ｂ）はシェーディング位置に移動した状態を示す斜視図。
【図８】上記ガラスハウジングユニットを駆動する駆動部の構成及び動作を説明する図。
【図９】上記自動原稿給送装置に設けられたガイドユニットの構成を示す斜視図。
【図１０】上記ガイドユニットの、（ａ）は原稿搬送位置にあるときの状態を示す斜視図、（ｂ）はメンテナンス位置に移動した状態を示す斜視図。
【図１１】上記自動原稿給送装置に設けられたコンタクトイメージセンサユニットの斜視図。
【図１２】上記コンタクトイメージセンサユニットの分解斜視図。
【図１３】上記コンタクトイメージセンサユニットに設けられた読取部突き当て部材の構成を示す斜視図。
【図１４】従来の画像読取装置の構成を示す図。
【図１５】上記従来の画像読取装置に設けられた第２画像読取部の構成を説明する図。
【符号の説明】
【００７２】
１００      自動原稿給送装置（ＡＤＦ）
１０２      第１画像読取部
２００      画像読取装置
２００Ａ    スキャナ装置
３０２      第２画像読取部
３２１      裏面ガラス
３２９      コンタクトイメージセンサユニット
３３０      コンタクトイメージセンサ
３３２      読取部付勢部材
３４０      裏面ガラスユニット
３４１      白基準部材
３４４      把手部材
３５０      ガラスハウジングユニット
３６０      駆動部
３６５      ガイド付勢力突き当て部材
３７０      ガイドユニット
３７１      ガイド部材
３７２      ガイド突き当て部材
３７３      ガイド付勢部材
Ｒ          原稿搬送路（シート搬送路）
【図１】
2008199213.tif 000003
【図２】
2008199213.tif 000004
【図３】
2008199213.tif 000005
【図４】
2008199213.tif 000006
【図５】
2008199213.tif 000007
【図６】
2008199213.tif 000008
【図７】
2008199213.tif 000009
【図８】
2008199213.tif 000010
【図９】
2008199213.tif 000011
【図１０】
2008199213.tif 000012
【図１１】
2008199213.tif 000013
【図１２】
2008199213.tif 000014
【図１３】
2008199213.tif 000015
【図１４】
2008199213.tif 000016
【図１５】
2008199213.tif 000017